(57)【要約】【課題】ヘッドフォン用のケーブル巻取装置を提供する。【解決手段】プラグが差し込まれる第１のレバーにプラグが差し込まれた後、回転により第２のレバーが動くことによりリールケースが回転してケーブルがリールケースに巻き取られるヘッドフォン用の巻取装置を提供することにより、プラグをハウジングに取り付けられたプラグレバーに差し込む動作と、プラグレバーに差し込まれたプラグを回転させる動作を行うことにより、ケーブルをハウジングの内部に巻き込むことが認識可能になることから、ユーザーがケーブルの長さを所望の通りに調節することが一層便利になるという効果がある。【選択図】図２
2010278820.tif 000002
【特許請求の範囲】
【請求項１】
内部に収容空間が設けられ、電気的な信号を音響信号に変換するトランスデューサーを収容可能なハウジングと、
外部装置に接続されるプラグが一方の側に形成されて、前記外部装置から送られてくる電気的な信号を前記トランスデューサー側に受け渡すケーブルと、
前記収容空間に収容されて前記ケーブルを巻取可能に回転させるリールケースと、
前記プラグを収容し、収容された前記プラグと一緒に動作して前記リールケースの回転有無を制御する制御手段と、
を備えることを特徴とするヘッドフォン用の巻取装置。
【請求項２】
前記制御手段は、
前記ハウジングに取り付けられて前記プラグが差し込まれ、差し込まれた前記プラグと連れ回転可能な第１のレバーと、
前記第１のレバーの回転により前記リールケースの回転有無を制御するための動作を行う第２のレバーと、
を備えることを特徴とする請求項１に記載のヘッドフォン用の巻取装置。
【請求項３】
前記第２のレバーが前記リールケースの回転を防止可能に前記第２のレバーに弾性を有する第１の弾性体をさらに備えることを特徴とする請求項２に記載のヘッドフォン用の巻取装置。
【請求項４】
前記第１のレバーは、前記第１のレバーの縦方向の軸と０°〜９０°の角度をなす軸を基準として回転することを特徴とする請求項２に記載のヘッドフォン用の巻取装置。
【請求項５】
前記第１のレバーは、前記第１のレバーの縦方向の軸を基準として回転することを特徴とする請求項２に記載のヘッドフォン用の巻取装置。
【請求項６】
前記第１のレバーは、一方の側方向に移動した後、前記第１のレバーの縦方向の軸を基準として回転することを特徴とする請求項２に記載のヘッドフォン用の巻取装置。
【請求項７】
前記第１のレバーの移動または回転を妨げる方向に前記第１のレバーに復元力を加える第２の弾性体をさらに備えることを特徴とする請求項６に記載のヘッドフォン用の巻取装置。
【発明の詳細な説明】
【技術分野】
【０００１】
本発明はヘッドフォン用のケーブルを巻き取るための装置に関する。
【背景技術】
【０００２】
一般に、ヘッドフォンは、ユーザーがユーザーの周りに妨害されることなく、音楽などを聴くために主として使われるが、ユーザーは自宅ではなく外部においてヘッドフォンを使用する場合が多い。すなわち、路地を歩いたり地下鉄やバスなどに乗って移動しながら音楽などを聴くときにヘッドフォンを使用する。
【０００３】
このようにユーザーがヘッドフォンを使用するためには、ヘッドフォンを音響出力装置に接続することを余儀なくされるが、ヘッドフォンと音響出力装置とを接続するためには所定の長さを有するケーブルを用いる場合がほとんどである。しかしながら、音響出力装置とヘッドフォンとを有線にて接続して使用する場合にはケーブルに起因してユーザーの動きが不自由になるため、音響出力装置とヘッドフォンとを近距離無線通信を用いて無線にて接続可能な近距離無線通信モジュール付きヘッドフォンも上市されている。
【０００４】
もちろん、近距離無線通信を通じて音楽などをヘッドフォンに出力するような方式は、音響信号が有線にて伝達されてヘッドフォンを介して音響が出力される方式に比べて音質が劣らざるを得ない。これは、無線通信にて信号を伝送するため、有線に比べて音響信号などの損失があることに起因する。この理由から、多くのヘッドフォンが有線にて上市されているのが現状である。
【０００５】
上述したように、有線ヘッドフォンを使用するときには、音楽などを聴くときにケーブルが原因となってユーザーの動きがより不自由になる他、ヘッドフォンをそれ以上使用しないときにヘッドフォンのケーブルをいかに処理するかが問題となる。ほとんどの場合には左右両側のヘッドフォンハウジングを１個所に集めた後、ケーブルをその上に巻き付けて保管するのが普通であり、若しくは、ヘッドフォンメーカー製や別途の構造物を用いてケーブルを巻いておくのが一般的である。
【０００６】
このような問題を解決するために、コード巻取装置付きヘッドフォン（以下、先行技術と称する。）には、ヘッドフォンのケーブルをハウジングの内部に巻き込んでケーブルを保管する技術が提案されている（例えば、下記の特許文献１参照）。同文献によれば、この技術は、外部の音響出力装置に接続するプラグをハウジングに差し込むと、ケーブルがハウジング内に巻き込まれるようにしてケーブルをハウジング内に保管する技術である。
【０００７】
しかしながら、先行技術は、ユーザーが所望の長さだけケーブルを引き抜くためには、ケーブルがハウジング内に完全に巻き込まれている状態でケーブルを所望の長さだけ引き抜くようになっている。すなわち、ケーブルの全体が外部に引き抜かれている状態でケーブルの長さを調節するためには、プラグをハウジングに差し込んで外部に引き抜かれたケーブルの長さを減らすことを余儀なくされるが、プラグがハウジングに差し込まれる瞬間からケーブルがハウジングの内部に巻き込まれるため、所望の長さとなったときにユーザーはプラグを素早くハウジングから引き抜かなければならないという煩雑さがある。
【先行技術文献】
【特許文献】
【０００８】
【特許文献１】特開２００２−１０３８５号
【発明の概要】
【発明が解決しようとする課題】
【０００９】
本発明は上記の事情に鑑みてなされたものであり、その目的は、ケーブルの長さを一層便利且つ自由に調節可能なヘッドフォン用の巻取装置を提供するところにある。
【課題を解決するための手段】
【００１０】
上記の目的を達成するために、本発明の一態様によるヘッドフォン用の巻取装置は、内部に収容空間が設けられ、電気的な信号を音響信号に変換するトランスデューサーを収容可能なハウジングと、外部装置に接続されるプラグが一方の側に形成されて、前記外部装置から送られてくる電気的な信号を前記トランスデューサー側に受け渡すケーブルと、前記収容空間に収容されて前記ケーブルを巻取可能に回転させるリールケースと、前記プラグを収容し、収容された前記プラグと一緒に動作して前記リールケースの回転有無を制御する制御手段と、を備えることを特徴とする。
【００１１】
前記制御手段は、前記ハウジングに取り付けられて前記プラグが差し込まれ、差し込まれた前記プラグと連れ回転可能な第１のレバーと、前記第１のレバーの回転により前記リールケースの回転有無を制御するための動作を行う第２のレバーと、を備えることを特徴とする。
【００１２】
前記第２のレバーが前記リールケースの回転を防止可能に前記第２のレバーに弾性を有する第１の弾性体をさらに備えることを特徴とする。
【００１３】
前記第１のレバーは、前記第１のレバーの縦方向の軸と０°〜９０°の角度をなす軸を基準として回転することを特徴とする。
【００１４】
前記第１のレバーは、前記第１のレバーの縦方向の軸を基準として回転することを特徴とする。
【００１５】
前記第１のレバーは、一方の側方向に移動した後、前記第１のレバーの縦方向の軸を基準として回転することを特徴とする。
【００１６】
前記第１のレバーの移動または回転を妨げる方向に前記第１のレバーに復元力を加える第２の弾性体をさらに備えることを特徴とする。
【発明の効果】
【００１７】
本発明によれば、プラグをハウジングに取り付けられたプラグレバーに差し込む動作と、プラグレバーに差し込まれたプラグを回転させる動作を行うことにより、ケーブルをハウジングの内部に巻き込むことが認識可能になることから、ユーザーがケーブルの長さを所望の通りに簡単に調節することができるという効果が奏される。
【図面の簡単な説明】
【００１８】
【図１】従来のヘッドフォン用の巻取装置を示す図。
【図２】本発明の一実施形態に相当するヘッドフォン用の巻取装置を示す平面図。
【図３】本発明の一実施形態に相当するヘッドフォン用の巻取装置の動作を説明するための図。
【図４】本発明の他の実施形態に相当するヘッドフォン用の巻取装置を示す平面図。
【図５】本発明の他の実施形態に相当するヘッドフォン用の巻取装置の動作を説明するための図。
【図６】本発明の他の実施形態に相当するヘッドフォン用の巻取装置の動作を説明するための図。
【図７】本発明の他の実施形態に相当するヘッドフォン用の巻取装置の動作を説明するための図。
【図８】本発明の他の実施形態に相当するヘッドフォン用の巻取装置の動作を説明するための図。
【発明を実施するための形態】
【００１９】
以下、添付図面に基づき、本発明の好適な実施形態について詳述するが、周知の技術的な部分については説明の簡略化のために詳細な説明を省略する。
【００２０】
＜第１の実施形態＞
本発明の第１の実施形態に相当するヘッドフォン用の巻取装置１００は、ハウジング１０と、ケーブル２０と、ベースプレート１１０と、リールケース１２０と、第１のレバー１３０と、第２のレバー１４０と、回転弾性体（図示せず）及び復元弾性体１５０を備えている。以下、図２及び図３に基づき、本発明の第１の実施形態に相当するヘッドフォン用の巻取装置１００を説明する。
【００２１】
ハウジング１０は、内部に多数の部品などを収容可能な収容空間を有し、収容空間にはベースプレート１１０と、リールケース１２０と、回転弾性体と、第１のレバー１３０と、第２のレバー１４０及び復元弾性体１５０が収容される。そして、ハウジング１０の収容空間には入力される電気的な信号を音響に変換して出力するトランスデューサーが一緒に収容されることも可能である。
【００２２】
ケーブル２０は、外部装置からハウジング１０に収容されるトランスデューサーに電気的な信号が入力されるように外部装置に接続可能なプラグ３０が一方の側に形成されており、プラグ３０を介して入力される電気的な信号をトランスデューサーに受け渡す。このとき、プラグ３０としては、１字状のものを使用してもよく、Ｌ字状のものを使用してもよい。
【００２３】
ベースプレート１１０は、ハウジング１０の収容空間に収容されながらハウジング１０に結合され、リールケース１２０の回転のための軸を提供する。
【００２４】
リールケース１２０は、ベースプレート１１０において３６０°回転可能にベースプレート１１０と結合されてケーブル２０が巻き取られるように構成される。
【００２５】
回転弾性体は、リールケース１２０とベースプレート１１０との間に位置してリールケース１２０の回転のためにリールケース１２０に持続的に弾性を提供し続けることが好ましく、回転弾性体としては、ぜんまいなどを使用することが好ましい。
【００２６】
このように回転弾性体によりリールケース１２０が常に回転されるための弾性を受けるため、別途の構造を用いてリールケース１２０の回転を防止する必要があるが、このために、リールケース１２０には縁部に１以上の係止部１２２が形成されて、第２のレバー１４０が係止部１２２に係止されることによりリールケース１２０の回転を防止する。
【００２７】
第１のレバー１３０は、一方の側にプラグ３０が差し込まれる挿嵌部１３２が形成され、他方の側に第１のレバー１３０が回転されるための第１のレバー１３０の回転軸部１３４が形成されるが、第１のレバー１３０の回転軸部１３４はベースプレート１１０に結合されている。そして、第１のレバー１３０には挿嵌部１３２の一方の側に第２のレバー１４０を動作させるための動作部１３６が設けられ、第１のレバー１３０が第１のレバー１３０の回転軸部１３４を基準として回転されるとき、回転に対する復元力を提供するために弾性部１３８が設けられるが、弾性部１３８はベースプレート１１０に形成された固定軸１１２に係止されて第１のレバー１３０の回転に対する復元力を提供する。このとき、第１のレバー１３０は所定の弾性を有しているプラスチックなどの合成樹脂や金属から形成されるため、弾性部１３８は特にバネなどから形成しなくても、図２に示すように、ベースプレート１１０の固定軸１１２に係止されながら第１のレバー１３０に弾性を提供して第１のレバー１３０がリールケース１２０の中心側への回転に対して復元力を提供する。
【００２８】
第２のレバー１４０はリールケース１２０が受ける回転力によりリールケース１２０の回転を防止するために設けられるが、リールケース１２０の縁部に形成された係止部１２２に第２のレバー１４０の一方の側が係止されることによりリールケース１２０の回転を防止する。そして、第２のレバー１４０の他方の側は第１のレバー１３０の動作部１３６に当接し、第１のレバー１３０の動作部１３６の動作により第２のレバー１４０の他方の側が回転されるための第２のレバー１４０の回転軸部１４２が第２のレバー１４０の途中に配設される。このとき、第２のレバー１４０の回転軸部１４２は第１のレバー１３０の回転軸部１３４と同様にベースプレート１１０に結合されている。
【００２９】
復元弾性体１５０は一方の側がベースプレート１１０に連結され、他方の側は第２のレバー１４０に連結されてリールケース１２０の回転を防止する役割を果たすように第２のレバー１４０の動作に復元力を提供する。すなわち、復元弾性体１５０はバネなどから形成されて、第２のレバー１４０の一方の側がリールケース１２０の係止部１２２に係止されないようにリールケース１２０の中心方向から遠ざかるとき、第２のレバー１４０の一方の側に復元力を提供して第２のレバー１４０の一方の側がリールケース１２０の係止部１２２に係止されるようにする。
【００３０】
次に、図３に基づき、上記の如き構成を有する本発明の第１の実施形態に相当するヘッドフォン用の巻取装置１００の動作について説明する。
【００３１】
図３（ａ）および図３（ｂ）に示すように、第１のレバー１３０の挿嵌部１３２にプラグ３０が差し込まれると、図３（ｃ）に示すように、第１のレバー１３０がハウジング１０の内側に第１のレバー１３０の回転軸部１３４を基準として所定の角度（約５〜１５°）だけ回転すると、第１のレバー１３０の動作部１３６が第２のレバー１４０の他方の側を押し付ける。このとき、第１のレバー１３０の弾性部１３８により第１のレバー１３０は回転される前の位置に戻るように復元力が加えられる。
【００３２】
第２のレバー１４０の他方の側が第１のレバー１３０の動作部１３６により所定量押し付けられると、第２のレバー１４０は第２のレバー１４０の回転軸部１４２を基準として回転されて、リールケース１２０の係止部１２２に係止されてリールケース１２０の回転を防止していた第２のレバー１４０の一方の側がリールケース１２０の係止部１２２から逸脱される。このように第２のレバー１４０の一方の側がリールケース１２０の係止部１２２から逸脱されると、回転弾性体により回転に対する弾性を受けていたリールケース１２０は回転されながらケーブル２０がリールケース１２０に巻き取られる。すなわち、ユーザーが、図３Ｃに示すように、プラグ３０が差し込まれた状態でプラグ３０と第１のレバー１３０をリールケース１２０の中心方向に回転させると、第２のレバー１４０の一方の側がリールケース１２０の係止部から逸脱しながらリールケース１２０が回転してケーブル２０がリールケース１２０に巻き取られる。このとき、ユーザーにより第１のレバー１３０に作用する外力が消えると、第１のレバー１３０の弾性部１３８と復元弾性体１５０により第１のレバー１３０と第２のレバー１４０が元の位置に戻りながらリールケース１２０の係止部１２２に第２のレバー１４０の一方の側が係止され、これによりリールケース１２０の回転が停止する。
【００３３】
このため、ユーザーは、第１のレバー１３０を回転させるために第１のレバー１３０に外力を加える瞬間にのみ回転弾性体によりリールケース１２０が回転されてケーブル２０がハウジング１０内に巻き込まれるため、ケーブル２０が外部に全て引き抜かれた状態でもユーザーが所望の通りに外部に引き抜かれるケーブル２０の長さを調節することが可能になる。
【００３４】
＜第２の実施形態＞
本発明の第２の実施形態に相当するヘッドフォン用の巻取装置２００は、ハウジング１０と、ケーブル２０と、ベースプレート２１０と、リールケース２２０と、回転弾性体（図示せず）と、第１のレバー２３０と、第２のレバー２４０および復元弾性体２５０を備える。以下、図４から図８に基づき、本発明の第２の実施形態に相当するヘッドフォン用の巻取装置２００を説明する。
【００３５】
ハウジング１０は、第１の実施形態のハウジング１０と同様に、内部に多数の部品などを収容可能な収容空間を有し、収容空間にはベースプレート２１０と、リールケース２２０と、第１のレバー２３０と、第２のレバー２４０および復元弾性体２５０が収容される。そして、ハウジング１０の収容空間には入力される電気的な信号を音響に変換して出力するトランスデューサーが一緒に収容可能である。
【００３６】
ケーブル２０は、外部装置からハウジング１０に収容されるトランスデューサーに電気的な信号が入力されるように外部装置に連結可能なプラグ３０が一方の側に形成されており、プラグ３０を介して入力される電気的な信号をトランスデューサーに受け渡す。
【００３７】
このとき、プラグ３０としてはＬ字状のプラグを使用することが好ましく、プラグ３０の把持部の近傍には係止突起３２が突設される。
【００３８】
ベースプレート２１０はハウジング１０の収容空間に収容されながらハウジング１０に結合され、リールケース２２０の回転のための軸を提供する。
【００３９】
リールケース２２０は、第１の実施形態と同様に、ベースプレート２１０において３６０°回転可能にベースプレート２１０と結合されて巻き取られるように構成され、縁部には１以上の係止部２２２が形成される。
【００４０】
回転弾性体は、リールケース２２０とベースプレート２１０との間に位置してリールケース２２０の回転のためにリールケース２２０に持続的に弾性を提供し続けることが好ましく、このとき、回転弾性体としてはぜんまいなどを使用することが好ましい。
【００４１】
第１のレバー２３０はハウジング１０の収容空間に収容され、プラグ３０が差し込まれる挿嵌部２３２が一方の側に形成されるが、挿嵌部２３２の入口にはプラグ３０に形成されている係止突起３２が嵌入されるための係止溝２３４が凹設される。そして、第１のレバー２３０の他方の側には第２のレバー２４０を動作させるための動作部２３６が形成される。
【００４２】
動作部２３６は、第１のレバー２３０が円柱状に形成されていると、半円柱状を有することが好ましいが、第１のレバー２３０がプラグ３０によりプラグ３０が差し込まれる方向に所定の距離だけ移動して第２のレバー２４０を回転させた後、第１のレバー２３０の回転により半円柱状の動作部２３６が第１のレバー２３０の縦方向の軸を基準として回転されて第２のレバー２４０を動作させるために押し付ける。
【００４３】
復元弾性体２５０は、第１のレバー２３０がプラグ３０によりプラグ３０が差し込まれる方向に所定の距離だけ移動されることに対して復元力を加え、且つ、第１のレバー２３０の回転に対する復元力を加える。
【００４４】
第２のレバー２４０は一方の側がリールケース２２０の係止部２２２に係止されることによりリールケース２２０が回転されることを防止する。そして、第２のレバー２４０の他方の側は第１のレバー２３０の動作部２３６側に位置して第１のレバー２３０の移動につれて１次回転された後、第１のレバー２３０の回転により２次回転されるように構成されて、第２のレバー２４０の２次回転により第２のレバー２４０の一方の側はリールケース２２０の係止部２２２に係止されなくなる。
【００４５】
次に、図５から図８に基づき、上記のような構成を有する本発明の第２の実施形態に相当するヘッドフォン用の巻取装置２００の動作について説明する。
【００４６】
図５に示すように、プラグ３０が第１のレバー２３０の挿嵌部２３２に差し込まれるが、プラグ３０に形成されている係止突起３２がそれに対応するように第１のレバー２３０に形成されている係止溝２３４に嵌め込まれるようにプラグ３０が差し込まれる。そして、第１のレバー２３０は、図６に示すように、外力によりプラグ３０が第１のレバー２３０に差し込まれる方向に所定の距離だけ移動されるが、約１〜２ｍｍ移動されることが好ましい。このとき、第２のレバー２４０は第１のレバー２３０が移動された分の１次回転が発生するが、このとき、回転は約３〜５°行われることが好ましい。
【００４７】
しかる後、図７に示すように、第１のレバー２３０に差し込まれているプラグ３０を第１のレバー２３０の縦方向軸と０°〜９０°の角度をなす軸に所定の角度だけ回転させるが、このとき、回転角度は約５〜１５°であることが好ましい。このようにプラグ３０が回転されると、プラグ３０の係止突起３２と第１のレバー２３０の係止溝２３４との嵌合により第１のレバー２３０がプラグ３０に連れ回転されるが、第１のレバー２３０の動作部２３６が回転される。
【００４８】
このとき、第１のレバー２３０の動作部２３６は半円柱状を呈するため、動作部２３６の回転により第２のレバー２４０が２次回転される。第２のレバー２４０の１次回転に際しては第２のレバー２４０がリールケース２２０の係止部２２２から逸脱しないためリールケース２２０の回転が起こらないが、第２のレバー２４０が２次回転されると、第２のレバー２４０がリールケース２２０の係止部２２２から逸脱されるためリールケース２２０は回転弾性体により回転が発生して、ケーブル２０がリールケース２２０に巻き取られる動作が発生する。
【００４９】
一方、第１のレバー２３０の縦方向への移動とプラグ３０の回転は、ユーザーによる外力により行われるが、第２の実施形態のヘッドフォン用の巻取装置２００も第１の実施形態のヘッドフォン用の巻取装置１００と同様にユーザーによる外力が加えられる瞬間にのみ上記のような動作が起こることが好ましい。
【００５０】
第１のレバー２３０には復元弾性体２５０が取り付けられて、第１のレバー２３０の動作に復元力が作用する。すなわち、図４に示すように、第１のレバー２３０は他方の側にバネなどの復元弾性体２５０が嵌め込まれてハウジング１０に形成されている固定端に復元弾性体２５０が固定される。このため、第１のレバー２３０が第１のレバー２３０の縦方向に移動されるときには復元弾性体２５０が圧縮されて第１のレバー２３０に移動に対する復元力を加え、第１のレバー２３０が回転されるときには復元弾性体２５０が回転により捩じれてトーションが作用して、第１のレバー２３０の回転に対する復元力を第１のレバー２３０に加える。
【００５１】
このため、第１のレバー２３０に加えられていた外力がなくなると、第１のレバー２３０は、図８に示すように、元の状態に回転と移動が戻ってリールケース２２０の回転が停止し、これにより、ケーブル２０がそれ以上リールケース２２０に巻き取らない。すなわち、ユーザーは、第１のレバー２３０に移動及び回転のために外力を加える瞬間にのみ回転弾性体によりリールケース２２０が回転されてケーブル２０がリールケース２２０に巻き取られ、外力を除去する瞬間に第１のレバー２３０の移動及び回転が元の状態に戻ってリールケース２２０の回転が止まり、ケーブル２０がそれ以上リールケース２２０に巻き取らないため、第１の実施形態と同様に、ケーブル２０が外部に引き抜かれている状態でケーブル２０の長さを調節することが可能である。
【００５２】
以上述べたように、本発明についての具体的な説明は添付図面に基づく実施形態により行われたが、上述した実施形態は本発明の好適な例を挙げて説明したものに過ぎないため、本発明が上記の実施形態に限定されると理解されてはならず、本発明の権利範囲は特許請求の範囲及びその等価概念として理解さるべきである。
【符号の説明】
【００５３】
１０：ハウジング、
２０：ケーブル、
３０：プラグ、
３２：係止突起、
１００、２００：ヘッドフォン用の巻取装置、
１１０、２１０：ベースプレート、
１１２：固定軸、
１２０、２２０：リールケース、
１２２、２２２：係止部、
１３０、２３０：第１のレバー、
１３２、２３２：挿嵌部、
１３４：回転軸部、
１３６、２３６：動作部、
１３８：弾性部、
１４０、２４０：第２のレバー、
１４２：回転軸部、
１５０、２５０：復元弾性体、
２３４：係止溝、
【図１】
2010278820.tif 000003
【図２】
2010278820.tif 000004
【図３】
2010278820.tif 000005
【図４】
2010278820.tif 000006
【図５】
2010278820.tif 000007
【図６】
2010278820.tif 000008
【図７】
2010278820.tif 000009
【図８】
2010278820.tif 000010